(57)【要約】【課題】  ごみが溜まり難く、洗浄を容易に行うことのできるアルミニウム製平パレットを提供する。【解決手段】  アルミニウム製平パレットは、パレットの左側に配置されている左サイドけた11と、パレットの右側に配置されている右サイドけた12と、左サイドけた11および右サイドけた12の中間に配置されているセンタけた13と、左サイドけた11の上端面からセンタけた13の上端面を経由して右サイドけた12の上端面にそれぞれ渡されている複数の並列状上デッキボード14と、左サイドけた11の下端面からセンタけた13の下端面を経由して右サイドけた12の下端面にそれぞれ渡されている複数の並列状下デッキボード15とを備えている。隣り合う２つの上デッキボード14の相対させられた両側面が、上拡がりのテーパ状に形成され、隣り合う２つの下デッキボード15の相対させられた両側面が、下拡がりのテーパ状形成されている。【選択図】  図１
2006021785.tif 000002
【特許請求の範囲】
【請求項１】
隣り合う２つのデッキボードの相対させられた両側面が、けたの頂面から遠ざかるにしたがって相互間の間隔を拡げていくように形成されているアルミニウム製平パレット。
【請求項２】
互いに平行にのびた一対のけたの上端面および／または下端面が、互いに遠ざかるにしたがって相互間の間隔を拡げていくように形成されているアルミニウム製平パレット。
【請求項３】
けたおよびデッキボードの隣り合う直交２面の隅にすみ肉部が設けられているアルミニウム製平パレット。
【請求項４】
パレットの左側に配置されている左サイドけたと、パレットの右側に配置されている右サイドけたと、左サイドけたおよび右サイドけたの中間に配置されているセンタけたと、左サイドけたの上端面からセンタけたの上端面を経由して右サイドけたの上端面にそれぞれ渡されている複数の並列状上デッキボードと、左サイドけたの下端面からセンタけたの下端面を経由して右サイドけたの下端面にそれぞれ渡されている複数の並列状下デッキボードとを備えており、隣り合う２つの上デッキボードの相対させられた両側面が、上拡がりのテーパ状に形成され、隣り合う２つの下デッキボードの相対させられた両側面が、下拡がりのテーパ状形成されているアルミニウム製平パレット。
【請求項５】
左サイドけたおよび右サイドけたの上端面が上拡がりのテーパ状に形成され、左サイドけたおよび右サイドけたの下端面が下拡がりのテーパ状に形成され、上デッキボードの左右両端面が左サイドけたおよび右サイドけたの上端面とそれぞれ合致させられた下向き傾斜面に形成され、下デッキボードの左右両端面が左サイドけたおよび右サイドけたの下端面とそれぞれ合致させられた上向き傾斜面に形成されている請求項４に記載のアルミニウム製平パレット。
【請求項６】
左サイドけたおよび右サイドけたの上端面のなすテーパの下端に連なる上向き水平面がそれぞれ設けられており、両上向き水平面が、上デッキボードの下向き傾斜面の下端に連なる水平下面に合致させられ、左サイドけたおよび右サイドけたの下端面のなすテーパの上端に連なる下向き水平面がそれぞれ設けられており、両下向き水平面が、下デッキボードの上向き傾斜面の上端に連なる水平上面に合致させられ、センタけたの高さが、上デッキボードおよび上デッキボード間の間隙と一致させられている請求項４または５に記載のアルミニウム製平パレット。
【請求項７】
左サイドけたの右側面上下両端部に、これの全長にわたってのびた左すみ肉形成用突条が形成され、右サイドけたの右側面上下両端部に、これの全長にわたってのびた右すみ肉形成用突条が形成され、センタけたの左右両側面の上下両端部に、これの全長にわたってのびたセンタすみ肉形成用突条が形成されている請求項４〜６のいずれか１つに記載のアルミニウム製平パレット。
【請求項８】
左サイドけた、右サイドけたおよびセンタけたが、中空押出型材によって形成されており、左サイドけた、右サイドけたおよびセンタけたの両端開口が端部材によってそれぞれ閉鎖されている請求項４〜７のいずれか１つに記載のアルミニウム製平パレット。
【発明の詳細な説明】
【技術分野】
【０００１】
この発明は、衛生面から洗浄しやすく、腐食しにくいアルミニウム製平パレットに関する。
【背景技術】
【０００２】
この種のパレットとしては、パレットの左側に配置されている左サイドけたと、パレットの右側に配置されている右サイドけたと、左サイドけたおよび右サイドけたの中間に配置されているセンタけたと、左サイドけたの上端面からセンタけたの上端面を経由して右サイドけたの上端面にそれぞれ渡されている複数の並列状上デッキボードと、左サイドけたの下端面からセンタけたの下端面を経由して右サイドけたの下端面にそれぞれ渡されている複数の並列状下デッキボードとを備えており、左サイドけた、右サイドけたおよびセンタけたの側面と、上デッキボードの上端面とが直交させられており、左サイドけた、右サイドけたおよびセンタけたの側面と、下デッキボードの下端面とが直交させられているものが知られている（例えば、特許文献１参照。）。
【０００３】
上記パレットには直交２面が数多くある。その直交２面の隅の部分にはごみが溜まりやすい。しかも、溜まったごみを洗浄することが容易でなかった。
【特許文献１】特開２０００−４３８７０号公報
【発明の開示】
【発明が解決しようとする課題】
【０００４】
この発明の目的は、ごみが溜まり難く、洗浄を容易に行うことのできるアルミニウム製平パレットを提供することにある。
【課題を解決するための手段】
【０００５】
この発明によるアルミニウム製平パレットは、隣り合う２つのデッキボードの相対させられた両側面が、けたの頂面から遠ざかるにしたがって相互間の間隔を拡げていくように形成されているものである。
【０００６】
この発明によるアルミニウム製平パレットでは、デッキボードの側面およびけたの頂面は、直交させられることなく、例えば、９０度より大きい角度をもって交じわらされている。デッキボードの側面およびけたの頂面の交わる部分にごみが溜まり難く、洗浄を容易に行うことができる。
【０００７】
この発明による他のアルミニウム製平パレットは、互いに平行にのびた一対のけたの上端面および／または下端面が、互いに遠ざかるにしたがって相互間の間隔を拡げていくように形成されているものである。
【０００８】
この発明による他のアルミニウム製平パレットでは、けたの上端面および／または下端面が、水平ではなく、例えば、傾斜させられているから、けたの上端面および／または下端面にごみが溜まり難く、洗浄を容易に行うことができる。
【０００９】
この発明によるさらなる他のアルミニウム製平パレットは、けたおよびデッキボードの隣り合う直交２面の隅にすみ肉部が設けられているものである。
【００１０】
この発明によるさらなる他のアルミニウム製平パレットでは、けたおよびデッキボードの隣り合う直交２面の隅にごみが溜まろうとしても、これをすみ肉が阻止するし、溜まったごみを容易に洗浄することができる。
【００１１】
この発明によるさらなる他のアルミニウム製平パレットは、パレットの左側に配置されている左サイドけたと、パレットの右側に配置されている右サイドけたと、左サイドけたおよび右サイドけたの中間に配置されているセンタけたと、左サイドけたの上端面からセンタけたの上端面を経由して右サイドけたの上端面にそれぞれ渡されている複数の並列状上デッキボードと、左サイドけたの下端面からセンタけたの下端面を経由して右サイドけたの下端面にそれぞれ渡されている複数の並列状下デッキボードとを備えており、隣り合う２つの上デッキボードの相対させられた両側面が、上拡がりのテーパ状に形成され、隣り合う２つの下デッキボードの相対させられた両側面が、下拡がりのテーパ状形成されているものである。
【００１２】
この発明によるさらなる他のアルミニウム製平パレットでは、上デッキボードの相対させられた両側面が、上拡がりのテーパ状に形成され、下デッキボードの相対させられた両側面が、下拡がりのテーパ状形成されているから、両デッキボードの側面およびけたの頂面の交わる部分にごみが溜まり難く、洗浄を容易に行うことができる。
【００１３】
上記のさらなる他のアルミニウム製平パレットにおいて、左サイドけたおよび右サイドけたの上端面が上拡がりのテーパ状に形成され、左サイドけたおよび右サイドけたの下端面が下拡がりのテーパ状に形成され、上デッキボードの左右両端面が左サイドけたおよび右サイドけたの上端面とそれぞれ合致させられた下向き傾斜面に形成され、下デッキボードの左右両端面が左サイドけたおよび右サイドけたの下端面とそれぞれ合致させられた上向き傾斜面に形成されていることが好ましい。
【００１４】
けたの上端面および下端面が傾斜させられおり、これにけたの端面が合致させられているから、けたの上端面および／または下端面にごみが溜まり難く、洗浄を容易に行うことができる。
【００１５】
さらに、上記のさらなる他のアルミニウム製平パレットにおいて、左サイドけたおよび右サイドけたの上端面のなすテーパの下端に連なる上向き水平面がそれぞれ設けられており、両上向き水平面が、上デッキボードの下向き傾斜面の下端に連なる水平下面に合致させられ、左サイドけたおよび右サイドけたの下端面のなすテーパの上端に連なる下向き水平面がそれぞれ設けられており、両下向き水平面が、下デッキボードの上向き傾斜面の上端に連なる水平上面に合致させられ、センタけたの高さが、上デッキボードおよび上デッキボード間の間隙と一致させられていることが好ましい。
【００１６】
両けたのテーパに連なる水平面によって両デッキボードの両端部が支持されているから、両けたがテーパ状に形成されているにも関わらずに、両けたおよびデッキボードの組立を容易に行うことができる。
【００１７】
また、上記のさらなる他のアルミニウム製平パレットにおいて、左サイドけたの右側面上下両端部に、これの全長にわたってのびた左すみ肉形成用突条が形成され、右サイドけたの右側面上下両端部に、これの全長にわたってのびた右すみ肉形成用突条が形成され、センタけたの左右両側面の上下両端部に、これの全長にわたってのびたセンタすみ肉形成用突条が形成されていることが好ましい。
【００１８】
けたおよびデッキボードを組立てるだけで、すみ肉を自動的に形成することができる。
【００１９】
また、上記のさらなる他のアルミニウム製平パレットにおいて、左サイドけた、右サイドけたおよびセンタけたが、中空押出型材によって形成されており、左サイドけた、右サイドけたおよびセンタけたの両端開口が端部材によってそれぞれ閉鎖されていることが好ましい。
【００２０】
左サイドけた、右サイドけたおよびセンタの内部に異物が侵入しようとしても、これを端部材が防止する。
【発明の効果】
【００２１】
この発明によれば、ごみが溜まり難く、洗浄を容易に行うことのできるアルミニウム製平パレットが提供される。
【発明を実施するための最良の形態】
【００２２】
この発明の実施の形態を図面を参照しながらつぎに説明する。
【００２３】
以下の説明において、前後とは、パレットの長さ方向をいい、左右とは、パレットの幅方向をいうものとする。
【００２４】
図１および図２を参照すると、パレットは、パレットの左側に配置されている左サイドけた11と、パレットの右側に配置されている右サイドけた12と、左サイドけた11および右サイドけた12の中間に配置されているセンタけた13と、左サイドけた11の上端面からセンタけた13の上端面を経由して右サイドけた12の上端面にそれぞれ渡されている複数、ここでは７つの並列状上デッキボード14と、左サイドけた11の下端面からセンタけた13の下端面を経由して右サイドけた12の下端面にそれぞれ渡されている複数、ここでは３つの並列状下デッキボード15とを備えている。
【００２５】
これらのけた11〜13およびデッキボード14、15は、いずれもアルミニウム合金押出型材によって筒状に形成されているものである。これらの部材11〜15の接触面同士が溶接によって接合されることにより、パレットが組み立てられている。
【００２６】
左サイドけた11および右サイドけた12は、左右の向きは逆であるが、同一構造のものである。上デッキボード14および下デッキボード15は、上下の向きは逆であるが、同一構造のものである。７つの上デッキボード14および３つの下デッキボード15のうち、両端の２つずつの上デッキボード14および下デッキボード15が上エッジボード16および下エッジボード17である。これらの２つずつのエッジボード16、17は、他のデッキボード14、15と異なる断面をもっている。
【００２７】
図３を参照しながら、左サイドけた11およびセンタけた13についてのみ説明し、右サイドけた12については、対応する部分に同一の符号を付して、その説明は省略する。
【００２８】
左サイドけた11は、横断面略縦長方形状のもので、垂直状左側壁21および右側壁22と、右下り傾斜状頂壁23と、右下り傾斜状頂壁24とを備えている。左サイドけた11の高さの中心を通る水平線に関して、左サイドけた11は上下線対称となされている。
【００２９】
頂壁21は、上端水平部31と、これの右縁に連なる傾斜部32と、これの右縁につらなる下端水平部33とよりなる。底壁24は、下端水平部34と、これの右縁に連なる傾斜部35と、これの右縁につらなる上端水平部36とよりなる。頂壁23の下端水平部33および底壁24の上端水平部36は、これの壁体自身を屈曲させて右側壁22よりも内方に突出させられ、これが左すみ肉形成用突条37を形成している。
【００３０】
センタけた13は、横断面略縦長方形状のもので、垂直状左側壁41および右側壁42と、水平状頂壁43および底壁44とを備えている。センタけた13の高さは、上下のデッキボード14、15間の間隙と一致させられている。
【００３１】
左側壁41および右側壁42の上下両端には壁体自身を屈曲させることによりセンタすみ肉形成用突条45がそれぞれ形成されている。
【００３２】
左サイドけた11の頂壁23、すなわち上端面は、右下がり傾斜されられている。右サイドけた12の頂壁23、すなわち上端面は、右左がり傾斜されられている。換言すると、左サイドけた11の上端面および右サイドけた12の上端面は、互いに平行してのびかつ上拡がりのテーパ状に形成されていて、互いに遠ざかるにしたがって間隔を拡げるように形成されている。また、図示しないが、左サイドけた11の下端面および右サイドけた12の下端面は、下拡がりのテーパ状に形成されていて、互いに遠ざかるにしたがって間隔を拡げるように形成されている。
【００３３】
左サイドけた11、右サイドけた12およびセンタけた13の開口端は、左端板46、右端板47およびセンタ端板48によってそれぞれ閉鎖されている。
【００３４】
図４を参照しながら、上デッキボード14および上エッジボード16について説明する。下デッキボード15についてはその詳細図示および説明を省略する。下エッジボード17については、対応する部分に同一の符号を付して、その説明は省略する。
【００３５】
上デッキボード14は、横断面略台形状のもので、右上がり傾斜状左側壁51と、左上り傾斜状右側壁52と、水平状頂壁53および底壁54と、２つの垂直状隔壁55とを備えている。
【００３６】
上エッジボード16は、上デッキボード14の左側壁51を垂直にしたようなものであって、垂直状左側壁61と、左上り傾斜状右側壁62と、水平状頂壁63および底壁64と、２つの垂直状隔壁65とを備えている。
【００３７】
再び図３を参照すると、上デッキボード14の左端部には左下向きの左端面71が形成されている。この左端面71は、左サイドけた頂壁23の傾斜部32に合致させられた角度となっている。上デッキボード14の左端面71の下端に続く下面72が左サイドけた頂壁23の下端水平部33に重ね合わされている。
【００３８】
上デッキボード14の左側壁51および上エッジボード16の右側壁62は、上拡がりのテーパ状に形成されていて、けた11〜13から遠ざかるにしたがって相互間の間隔を拡げている。また、図示しないが、下デッキボード15の左側壁および下エッジボードの右側壁は、下拡がりのテーパ状に形成されていて、けたから遠ざかるにしたがって相互間の間隔を拡げている。
【図面の簡単な説明】
【００３９】
【図１】この発明によるパレットの破砕断面を含む斜視図である。
【図２】同パレットの平面図である。
【図３】図２のIII−III線にそう拡大断面図である。
【図４】図２のIV−IV線にそう拡大断面図である。
【符号の説明】
【００４０】
11  左サイドけた
12  右サイドけた
13  センタけた
14  上デッキボード
15  下デッキボード
【図１】
2006021785.tif 000003
【図２】
2006021785.tif 000004
【図３】
2006021785.tif 000005
【図４】
2006021785.tif 000006